(57)【要約】【課題】ケース内部の容積の低下を抑制し、しかも、蓋板をケース本体の開口部に位置決めすることができる蓄電素子を提供する。【解決手段】本発明に係る蓄電素子は、ケース本体と蓋板とを有するケースを備え、蓋板は、ケース本体の開口部に挿入される突部を有し、該突部は、第二方向においてケース本体の開口縁の内面に内接又は近接し、且つ、蓋板に偏在している。【選択図】図７
2014160618.tif 000002
【特許請求の範囲】
【請求項１】
互いに絶縁された正極板及び負極板を含む電極体と、
該電極体を収容するケースとを備え、
該ケースは、第一方向に開口部を有するケース本体と、該ケース本体の該開口部の開口縁に載置され、該開口部を覆う蓋板とを備え、
該蓋板は、前記ケース本体の前記開口部に挿入される突部を有し、
該突部は、前記第一方向と直交する少なくとも第二方向において前記ケース本体の前記開口縁の内面に内接又は近接し、且つ、前記蓋板に偏在している
蓄電素子。
【請求項２】
前記蓋板は、前記突部を有する箇所の外面側に凹部を備える
請求項１に記載の蓄電素子。
【請求項３】
前記ケース本体は、有底四角筒状であり、
前記突部は、前記ケース本体の前記開口縁のうちの対向する一対の辺のそれぞれ少なくとも一部に内接又は近接している
請求項１又は請求項２に記載の蓄電素子。
【請求項４】
前記突部は、前記ケース本体の前記開口縁のうちの対向する一方の一対の辺のそれぞれ少なくとも一部と、対向する他方の一対の辺のそれぞれ少なくとも一部とに内接又は近接している
請求項３に記載の蓄電素子。
【請求項５】
前記ケース本体は、前記開口縁が複数のコーナー部と、前記複数のコーナー部と当該コーナー部と隣り合ったコーナー部間をそれぞれ繋ぐ複数の辺と、を有する角形状であり、
前記突部は、前記複数のコーナー部の少なくとも一つに内接又は近接している
請求項１乃至請求項４のいずれか１項に記載の蓄電素子。
【請求項６】
前記突部は、前記ケース本体の前記開口縁の内側に沿って環状に形成されている
請求項１乃至請求項５のいずれか１項に記載の蓄電素子。
【発明の詳細な説明】
【技術分野】
【０００１】
本発明は、電極体と、該電極体を収容するケース本体及び該ケース本体の開口部を覆う蓋板からなるケースとを備える蓄電素子に関する。
【背景技術】
【０００２】
近年、車両（自動車、自動二輪車等）や各種機器（携帯端末、ノート型パソコン等）の動力源として、電池（リチウムイオン電池、ニッケル水素電池等）やキャパシタ（電気二重層キャパシタ等）といった放充電可能な蓄電素子が採用されている。
【０００３】
例えば、特許文献１に記載された電池（角型電池）は、電極体（電池エレメント）と、該電極体を収容するケース本体（本体ケース）と、ケース本体の開口部を塞ぐ蓋板（蓋体）とを備える。蓋板には、ケース本体の内側に向かって突出する段差部が設けられている。この段差部は、蓋板をケース本体の開口部の所定の位置に位置決めすることができ、この電池のケースは、蓋板がケース本体の開口部に嵌め込まれることで、密閉される。
【０００４】
しかし、特許文献１の段差部は、蓋板の周縁部を除いた領域がケース本体の内側に向かって一様に面状に突出しているため、その段差部の体積分の容積が電極体をケースの内部に収納可能な容積として利用することができない。つまり、段差部の体積分の容積がケース内部の容積から損なわれる。ケース内部の容積が低下すると、電池の蓄電に寄与する電極体を収容する空間が少なくなり、電池の単位体積あたりの蓄電容量が低下するため、好ましくない。
【０００５】
この種の問題は、電池に限られず、キャパシタ（電気二重層キャパシタ等）についても同様である。
【先行技術文献】
【特許文献】
【０００６】
【特許文献１】特開平１０−２６９９９９号公報
【発明の概要】
【発明が解決しようとする課題】
【０００７】
そこで、本発明は、かかる問題に鑑みてなされたもので、ケース内部の容積の低下を抑制し、しかも、蓋板をケース本体の開口部の所定の位置に位置決めすることができる蓄電素子を提供することを課題とする。
【課題を解決するための手段】
【０００８】
本発明に係る蓄電素子は、
互いに絶縁された正極板及び負極板を含む電極体と、
該電極体を収容するケースとを備え、
該ケースは、第一方向に開口部を有するケース本体と、該ケース本体の該開口部の開口縁に載置され、該開口部を覆う蓋板とを備え、
該蓋板は、ケース本体の開口部に挿入される突部を有し、
該突部は、第一方向と直交する少なくとも第二方向においてケース本体の開口縁の内面に内接又は近接し、且つ、蓋板に偏在している。
【０００９】
かかる構成によれば、蓋板がケース本体の開口部の開口縁に載置された際、蓋板の突部は、ケース本体の開口部の第二方向における開口縁の内側に内接又は近接する。そのため、蓋板は、ケース本体の開口部における第二方向に位置決めすることができる。突部は、第二方向においてケース本体の開口縁の内面に内接又は近接する部分に部分的に設けられているにすぎず、突部の体積分の容積がケースの容積から部分的に損なわれるだけで済み、ケース内部の容積が大幅に低下することはない。
【００１０】
ここで、本発明に係る蓄電素子の一態様として、
蓋板は、突部を有する箇所の外面側に凹部を備える
ようにすることができる。
【００１１】
かかる構成によれば、突部が蓋板に設けられることにより、蓋板は、その突部の体積に相当する重量が増加し得る。ところが、蓋板には、突部を有する箇所の外面側に凹部が設けられることにより、その凹部の容積により、蓋板の体積分の重量が蓋板の重量から減る。よって、突部が蓋板に設けられることによる蓋板の重量の増加は、凹部によって抑えられる。
【００１２】
また、本発明に係る蓄電素子の他態様として、
ケース本体は、有底四角筒状であり、
突部は、ケース本体の開口縁のうちの対向する一対の辺のそれぞれ少なくとも一部に内接又は近接している
ようにすることができる。
【００１３】
かかる構成によれば、蓋板がケース本体の開口部の開口縁に載置された際、蓋板の突部は、ケース本体の開口縁のうちの対向する一対の辺における内側に内接又は近接する。そのため、蓋板は、ケース本体の開口部における一対の辺と交差する方向に位置決めすることができる。突部は、ケース本体の開口縁の一対の辺のそれぞれに対応して部分的に形成されているにすぎず、突部の体積分の容積がケースの容積から部分的に損なわれるだけで済み、ケース内部の容積が大幅に低下することはない。
【００１４】
この場合、
突部は、ケース本体の開口縁のうちの対向する一方の一対の辺のそれぞれ少なくとも一部と、対向する他方の一対の辺のそれぞれ少なくとも一部とに内接又は近接している
ようにすることができる。
【００１５】
かかる構成によれば、蓋板がケース本体の開口部の開口縁に載置された際、蓋板の突部は、ケース本体の開口縁のうちの対向する一方及び他方の一対の辺における内側に内接又は近接する。そのため、蓋板は、ケース本体の開口部における一対の辺と平行な方向と該一対の辺と交差する方向とに位置決めすることができる。突部は、ケース本体の開口縁のうちの対向する一方の一対の辺のそれぞれ少なくとも一部と、対向する他方の一対の辺のそれぞれ少なくとも一部とに対応して部分的に形成されているにすぎず、突部の体積分の容積がケースの容積から部分的に損なわれるだけで済み、ケース内部の容積が大幅に低下することはない。
【００１６】
また、本発明に係る蓄電素子の別の態様として、
ケース本体は、開口縁が複数のコーナー部と、複数のコーナー部と当該コーナー部と隣り合ったコーナー部間をそれぞれ繋ぐ複数の辺とを有する角形状であり、
突部は、複数のコーナー部の少なくとも一つに内接又は近接している
ようにすることができる。
【００１７】
かかる構成によれば、蓋板がケース本体の開口部の開口縁に載置された際、蓋板の突部は、ケース本体の開口縁の複数のコーナー部の少なくとも一つに内接又は近接する。そのため、蓋板は、ケース本体の開口部に位置決めすることができる。突部は、ケース本体の開口縁のうちの複数のコーナー部の少なくとも１つに形成されているにすぎず、突部の体積分の容積がケースの容積から部分的に損なわれるだけで済み、ケース内部の容積が大幅に低下することはない。
【００１８】
また、本発明に係る蓄電素子のさらに別の態様として、
突部は、ケース本体の開口縁の内側に沿って環状に形成されている
ようにすることができる。
【００１９】
かかる構成によれば、蓋板がケース本体の開口部の開口縁に載置された際、蓋板の突部は、ケース本体の開口縁のうちの内側に内接又は近接する。そのため、蓋板は、ケース本体の開口部に位置決めすることができる。突部は、ケース本体の開口縁の内側に沿って環状に形成されているにすぎず、突部の体積分の容積がケースの容積から部分的に損なわれるだけで済み、ケース内部の容積が大幅に低下することはない。
【発明の効果】
【００２０】
以上の如く、本発明によれば、ケース内部の容積の低下を抑制し、しかも、蓋板をケース本体の開口部の所定の位置に位置決めすることができる。
【図面の簡単な説明】
【００２１】
【図１】本発明の一実施形態に係る電池の斜視図を示す。
【図２】同電池の側面図を示す。
【図３】図１のＡ−Ａ線断面図を示す。
【図４】同電池のケースの蓋板の下面図を示す。
【図５】図１のＢ−Ｂ線の蓋板の拡大断面図を示す。
【図６】図１のＣ−Ｃ線の蓋板の拡大断面図を示す。
【図７】同電池の蓋板がケース本体に載置された状態の拡大断面図を示す。
【図８】本発明の他の実施形態に係る蓋板の下面図を示す。
【図９】本発明のさらに他の実施形態に係る蓋板の下面図を示す。
【図１０】本発明のさらに他の実施形態に係る蓋板の下面図を示す。
【図１１】本発明のさらに他の実施形態に係る蓋板の下面図を示す。
【図１２】本発明のさらに他の実施形態に係る蓋板の下面図を示す。
【図１３】本発明のさらに他の実施形態に係る蓋板の下面図を示す。
【図１４】本発明のさらに他の実施形態に係る蓋板の下面図を示す。
【図１５】本発明のさらに他の実施形態に係る蓋板の下面図を示す。
【図１６】本発明のさらに他の実施形態に係るケース本体の上面図を示す。
【図１７】同実施形態に係る蓋板の下面図を示す。
【図１８】本発明のさらに他の実施形態に係る蓋板の下面図を示す。
【図１９】本発明のさらに他の実施形態に係る蓋板の下面図を示す。
【図２０】本発明のさらに他の実施形態に係るケース本体と蓋板との接合部の拡大断面図を示す。
【発明を実施するための形態】
【００２２】
以下、本発明に係る蓄電素子の一実施形態である電池について、図面を参酌しつつ説明する。本実施形態に係る電池は、非水電解質二次電池、より詳しくは、リチウムイオン二次電池である。本実施形態に係る電池は、図１〜図７に示す如く、開口部を有するケース本体２と、該ケース本体２の開口部の開口縁に載置され、開口部を塞いで密閉する蓋板３とで構成されるケース１を備えている。また、蓋板３には、ケース１内に収納された電極体４と電気的に接続された端子構造９が設けられている。
【００２３】
ケース１のケース本体２及び蓋板３は、図１〜図３に示すように、アルミニウム又はアルミニウム合金のアルミニウム系金属材料で形成される。ケース本体２は、長円筒形状にされた巻回型の電極体４を収納すべく、幅方向に偏平な有底角筒状である。蓋板３は、ケース本体２の開口部に対応した長方形状の板材である。
【００２４】
ケース本体２は、長方形状の底部２ａの周縁に、対向する一対の側板部２ｂ，２ｂと対向する一対の端板部２ｃ，２ｃとが第一方向Ａ１（高さ方向）に立設されたものである。長方形状の底部２ａの短手方向である第二方向Ａ２に沿った縁に一対の端板部２ｃ，２ｃが立設し、底部２ａの長手方向である第三方向Ａ３に沿った縁に一対の側板部２ｂ，２ｂとが立設する。ケース本体２は、一対の端板部２ｃ，２ｃが（一対の側板部２ｂ，２ｂよりも）幅狭とされることで、奥行きの小さい薄型の有底四角筒状に形成されている。なお、本実施形態における「第二方向Ａ２」及び「第三方向Ａ３」は、本発明の「第一方向と直交する第二方向」に相当し、本発明の第二方向は、本実施形態の「第二方向Ａ２」に限定するものではなく、本実施形態の「第三方向Ａ３」を除くことを意図したものではない。
【００２５】
一対の側板部２ｂ，２ｂのそれぞれは、底部２ａ側に設けられる第一辺Ｐ１と、該第一辺Ｐ１に対向する第二辺Ｐ２と、第一方向Ａ１に沿った一対の辺Ｐ３，Ｐ４とを有する。一対の端板部２ｃ，２ｃのそれぞれも同様に、底部２ａ側に設けられる第一辺Ｐ１と、該第一辺Ｐ１に対向する第二辺Ｐ２と、第一方向Ａ１に沿った一対の辺Ｐ３，Ｐ４を有する。一対の側板部２ｂ，２ｂの第二辺Ｐ２，Ｐ２及び一対の端板部２ｃ，２ｃの第二辺Ｐ２，Ｐ２が包囲する領域には、底部２ａと対応した開口部２ｄが形成されている。
【００２６】
蓋板３は、図４に示すように、長方形状に形成されている。蓋板３には貫通孔３１がそれぞれ第三方向Ａ３に間隔をあけて形成されている。
【００２７】
蓋板３は、図１〜図４に示すように、中央部に円形状のガス排出弁３２が一体的に形成されている。ガス排出弁３２には、略Ｙ字状の薄肉部が形成され、内圧が異常に上昇した場合に薄肉部が裂けて減圧できるようになっている。蓋板３のガス排出弁３２の一端側には、小径の注液孔３３が形成され、注液後に栓体１３によって閉鎖されるようになっている。
【００２８】
蓋板３は、図５及び図６に示すように、ケース本体２の開口縁にケース１の内側で対向する突部を備える。本実施形態における突部は、蓋板３から線状に突出した突条３４を例に説明する。突条３４（突部）は、蓋板３の下面に偏在する。この突条３４は、一対の端板部２ｃ，２ｃの第二辺Ｐ２，Ｐ２に対応して形成される。突条３４は、ケース本体２の開口縁２ｄの内面に内接するように蓋板３に設けられる。より具体的には、突条３４は、蓋板３の周縁部のケース本体２の開口縁に当接する領域よりも内側の端板部２ｃの第二辺Ｐ２に沿って設けられ、その両端は、一対の側板部２ｂ，２ｂの第二辺Ｐ２，Ｐ２の一部にまで到達している。突条３４は、ケース本体２の一対の端板部２ｃ，２ｃに沿って、蓋板３からケース本体２の内側に向かって突出している。突条３４は、コイニング加工することにより形成される。つまり、突条３４は、蓋板３の上面（外面）側を凹状に凹ませ、蓋板３の下面（内面）側を凸状に隆起させた部分である。凹部３５は、突条３４が形成された蓋板３の下面（内側）の位置に対応する上面（外面）側に形成される。凹部３５が蓋板３の上面を凹ませた容積は、蓋板３の下面から隆起した突条３４の体積と略同じとなる。このとき、突条３４は、その先端部が円弧状に形成される。このため、蓋板３をケース本体２に嵌める際、突条３４とケース本体２の内側とがこすれることによる金属粉等の発生を抑制することができる。
【００２９】
蓋板３は、図７に示すように、ケース本体２に対向する突条３４がケース本体２に当接している。突条３４は、図３に示すように、蓋板３の長手方向の両端部に設けられている。そのため、蓋板３は、これらの一対の突条３４，３４によりケース本体２に位置決めされる。
【００３０】
電極体４は、図３に示すように、帯状の正極シート５と帯状の負極シート６とを、その間に帯状のセパレータ７を挟んだ状態で、左右の異なる方向にずらし、左右方向の回転軸を中心に上下に長円となる長円筒形状に巻回したものである。電極体４は、絶縁性シートで形成した絶縁カバー（図示しない）で全体が覆われ、ケース１と絶縁された状態で、該ケース１内に収納されている。正極シート５は、アルミニウム箔の表面に正極活物質を担持させたものである。負極シート６は、銅箔の表面に負極活物質を担持させたものである。正極シート５及び負極シート６は、それぞれ左右のずれ方向の端縁部に、活物質の未塗工部を有している。これにより、電極体４の左右の端部では、アルミニウム箔や銅箔が露出し、これら電極の金属箔が巻回された巻き束状のままはみ出している。
【００３１】
また、電極体４の左右の端部にはみ出した金属箔には、それぞれ集電体８が電気的に接続されている。集電体８は、上下に長尺な導電性金属部材である。より詳しくは、正極の集電体８は、アルミニウム又はアルミニウム合金を用いて形成され、負極の集電体８は、銅又は銅合金を用いて形成されている。集電体８の上部は、図７に示すように、水平に折り曲げられて接続部８ａとされる。該接続部８ａより下方の部分は、前後に二股に分けられて下方に突出している。そして、この二股に分けられた部分は、電極体４の端部と共に、図示しない挟持板に挟まれて、超音波溶接等により接続固定されている。
【００３２】
端子構造９は、図３及び図７に示すように、正極の端子構造９と負極の端子構造９とを備えている。各端子構造９は、蓋板３の左右の貫通孔３１を内外で挟むようにして配置された樹脂プレート１０及び外部ガスケット（ガスケット）１１と、該樹脂プレート１０及び外部ガスケット１１を介して貫通孔３１に挿通され、集電体８の接続部８ａと電気的に接続される外部端子１２とを備えている。これにより、ケース１内の電極体４と外部端子１２とが電気的に接続される。
【００３３】
外部端子１２は、負極外部端子１２と正極外部端子１２とからなり、頭部１２ａと、その下面中央部から下方に向かって延びる軸部１２ｂとで構成されている。頭部１２ａの表面（露出面）には、図示しないバスバーが溶接により接続される。負極外部端子１２は、銅又は銅合金を用いて形成され、正極外部端子１２は、アルミニウム又はアルミニウム合金を用いて形成される。
【００３４】
このような構造の電池１を製造する際、まず、正極シート５、負極シート６、セパレータ７及び集電体８が組み付けられた電極体４がケース本体２の開口部２ｄから収容される。次いで、蓋板３がケース本体２の開口部２ｄに対して突条３４で位置決めされ、蓋板３がケース本体２の開口部２ｄの開口縁の適当な位置に載置される。蓋板３は、ケース本体２の開口部２ｄとの合わせ目を全周に亘ってレーザ溶接されることでケース本体２に接合され、ケース本体２の開口部２ｄは、蓋板３によって塞がれ、ケース１が密閉される。ケース１が密閉された後、外部ガスケット１１が蓋板３に載置され、外部端子１２が外部ガスケット１１の開口部（図示せず）、蓋板３の貫通孔３１、そして、ケース１内に配置される集電体８の接続部８ａの開口部（図示せず）に挿通され、ケース１の外部から外力が加えられることにより、外部端子１２の先端部がかしめられ、外部端子１２と電極体４とが電気的に接続され、電池１が完成する。
【００３５】
このように、本実施形態に係る電池１によれば、蓋板３がケース本体２の開口部２ｄの開口縁に載置される際に、蓋板３の突条３４がケース本体２の開口部２ｄの所定の位置に蓋板３を位置決めすることができる。具体的には、蓋板３がケース本体２の開口部２ｄの開口縁に載置された際、蓋板３の突条３４は、ケース本体２の開口部２ｄの第二方向Ａ２における開口縁の内側に内接する。そのため、蓋板３は、ケース本体２の開口部２ｄにおける第三方向Ａ３に位置決めすることができる。また、蓋板３の突条３４は、ケース本体２の開口部２ｄの第三方向Ａ３における開口縁の内側にも内接する。そのため、蓋板３は、ケース本体２の開口部２ｄにおける第二方向Ａ２に位置決めすることができる。
【００３６】
突条３４は、第二方向Ａ２においてケース本体２の開口縁の内面に内接する部分と、第三方向Ａ３においてケース本体２の開口縁の内面に内接する部分に部分的に設けられているにすぎず、突条３４の体積分の容積がケース１の容積から部分的に損なわれるだけで済み、ケース内部の容積が大幅に低下することはない。
【００３７】
また、各部材の製造時の寸法精度の誤差や、わずかな凹凸等によって蓋板３の下面とケース本体２の開口縁との間に隙間が生じる場合がある。ケース本体２の外側からこの隙間を介した内側には、蓋板３の突条３４が配置される。レーザ溶接で蓋板３とケース本体２の開口縁とを接合する際、この隙間をレーザ光が通過しても、蓋板３の突条３４で行く手を遮られ、ケース１の内部に到達しない。そのため、レーザ光がケース１の内側に突き抜けることを抑制することができる。
【００３８】
更に、突条３４は、蓋板３をコイニング加工することにより形成されており、蓋板３の重量が突条３４を設けたことにより増加することがない。つまり、突条３４が蓋板３に設けられることにより、蓋板３は、その突条３４の体積に相当する重量が増加し得るところ、蓋板３には、突条３４を有する箇所の外面側に凹部３５が設けられることにより、その凹部３５の容積分の重量が蓋板３の重量から減る。よって、突条３４が蓋板３に設けられることによる蓋板３の重量の増加は、凹部３５によって抑えられつつ、突条３４は、ケース１の内側にレーザ光が突き抜けることを抑制する。そのため、ケース内部の容積が大幅に低下することはない。
【００３９】
尚、本発明に係る蓄電素子は、上記実施形態に限定されるものではなく、本発明の要旨を逸脱しない範囲で種々の変更が可能である。
【００４０】
例えば、上記実施形態において、突条３４が一対の端板部２ｃ，２ｃの第二辺Ｐ２，Ｐ２と一対の側板部２ｂ，２ｂの第二辺Ｐ２，Ｐ２の端部の一部とのそれぞれに対応して蓋板３に偏在して形成される例を示した。しかしながら、これに限定されるものではない。例えば、図８に示すように、突部１３４，１３４は、一対の端板部２ｃ，２ｃの第二辺のそれぞれのみに対応して形成されていてもよい。つまり、突部１３４，１３４は、蓋板１０３の短辺に沿って設けられた直線状の突条であってもよい。蓋板１０３は、ケース本体２の開口部２ｄにおける一対の端板部２ｃ，２ｃの第二辺と交差する方向、つまり、第三方向Ａ３に位置決めすることができる。この形態においても、突部１３４は、ケース本体２の開放縁の内面に内接又は近接するように偏在しているため、ケース１内部の容積が大幅に低下することはない。また、蓋板１０３とケース本体２の一対の端板部２ｃ，２ｃとの間に隙間がある場合において、レーザ光がケース１の内部に突き抜け、又は入り込むことが防止されるという効果も有する。
【００４１】
また、図９に示すように、突部２３４，２３４は、一対の側板部２ｂ，２ｂの第二辺のそれぞれのみに対応して形成されていてもよい。蓋板２０３は、ケース本体２の開口部２ｄにおける一対の側板部２ｂ，２ｂの第二辺と交差する方向、つまり、第二方向Ａ２に位置決めすることができる。この形態においても、突部２３４は、ケース本体２の開放縁の内面に内接又は近接するように偏在しているため、ケース１内部の容積が大幅に低下することはない。また、蓋板２０３とケース本体２の一対の側板部２ｂ，２ｂとの間に隙間がある場合において、レーザ光がケース１の内部に突き抜けることが防止されるという効果も有する。
【００４２】
また、図１０に示すように、突部３３４がケース本体２の開口縁の内側に沿って環状に形成されていてもよい。蓋板３０３は、ケース本体２の開口部２ｄにおける第二方向Ａ２及び第三方向Ａ３の何れに対しても位置決めすることができる。この形態においても、突部３３４は、ケース本体２の開放縁の内面に内接又は近接するように偏在しているため、ケース１内部の容積が大幅に低下することはない。また、蓋板３０３とケース本体２との間に隙間がある場合において、レーザ光がケース１の内部に突き抜け、又は入り込むことが防止されるという効果も有する。
【００４３】
また、図１１に示すように、複数の突部４３４がケース本体２の開口縁のうちの側板部２ｂと端板部２ｃとの間の接続部（ケース本体２の隅）に対向する角のそれぞれに対応して形成されていてもよい。好ましくは、突部４３４は、ケース本体２の４隅に対向する角のそれぞれに対応して形成される。このように形成されることにより、蓋板４０３は、ケース本体２の開口部２ｄにおける第二方向Ａ２及び第三方向Ａ３の何れに対しても位置決めすることができる。この形態においても、突部４３４は、ケース本体２の開放縁の内面に内接又は近接するように偏在しているため、ケース１内部の容積が大幅に低下することはない。
【００４４】
上記実施形態において、突部が蓋板３から線状に突出させた突条３４である例を示した。しかしながら、突部は、ケース本体の開口部に挿入可能であればどのような形状であってもよい。例えば、図１２に示すように、複数の突部５３４が蓋板５０３から円柱状で突出していてもよい。また、図１３に示すように、２つの突部６３４が蓋板６０３から矩形状で突出していてもよい。このように形成されることによっても、蓋板５０３，６０３は、ケース本体２の開口部２ｄに対して位置決めすることができる。これらの形態においても、突部５３４，６３４は、ケース本体２の開放縁の内面に内接又は近接するように偏在しているため、ケース１内部の容積が大幅に低下することはない。
【００４５】
また、図１４に示すように、突部７３４，７３４は、そのケース本体２の開口縁の一辺の全領域においてケース本体２の開口部２ｄの内周面に当接又は近接していなくてもよく、その一部がケース本体２の開口部２ｄの内周面に当接又は近接しておればよい。つまり、突部７３４，７３４の両端部がケース本体２の開口部２ｄにおける端板部２ｃ，２ｃまで連続的に当接又は近接していなくてもよい。若しくは、図１５に示すように、突部８３４，８３４は、その両端部がケース本体２の開口部２ｄにおける側端部２ｂに当接又は近接し、その中央部が端板部２ｃに当接又は近接し、その両端部と中央部との間の開口部２ｄの隅に対応する部分が当該隅に当接又は近接していなくてもよい。突部７３４，８３４がこのような形状に形成されることによって、突部７３４，８３４の蓋板７０３，８０３への加工が容易になるとともに、蓋板７０３，８０３がケース本体２の開口部２ｄに対して位置決めすることができる。これらの形態においても、突部７３４，８３４は、ケース本体２の開放縁の内面に内接又は近接するように偏在しているため、ケース１内部の容積が大幅に低下することはない。
【００４６】
上記実施形態において、ケース本体２が有底四角筒状であり、蓋板３が長方形状の板材である例を示した。つまり、ケース１が四角箱状である例を示した。しかしながら、図１６に示すように、ケース本体９０２は、開口縁９０２ｄが複数のコーナー部９０２ｅと、互いに隣り合うコーナー部９０２ｅ間をそれぞれ繋ぐ複数の辺９０２ｂ，９０２ｂ，９０２ｃ，９０２ｃとを有する角形状であっても本発明を適用することができる。複数の辺９０２ｂ，９０２ｂは、上記実施形態における側板部２ｂ，２ｂに対応する。複数の辺９０２ｃ，９０２ｃは、上記実施形態における端板部２ｃ，２ｃに対応する。このようなコーナー部９０２ｅを有する角形状のケース本体９０２の場合、図１７に示すように、一対の突部９３４，９３４は、隣り合う２つのコーナー部９０２ｅ，９０２ｅとその間の辺９０２ｃとに内接又は近接するように蓋板９０３に設けられる。一対の突部９３４，９３４は、隣り合う２つのコーナー部９０２ｅ，９０２ｅとその間の辺９０２ｃとに沿って形成され、所謂、Ｃの字状に形成される。このように形成されることにより、蓋板９０３がケース本体９０２の開口部９０２ｄの開口縁に載置された際、複数の突部９３４は、ケース本体９０２の開口縁の複数のコーナー部９０２ｅのそれぞれに内接又は近接する。そのため、蓋板９０３は、ケース本体９０２の開口部９０２ｄに位置決めすることができる。この形態においても、突部９３４は、ケース本体９０２の開口部９０２ｄのうちの複数のコーナー部９０２ｅの少なくとも１つに形成されているにすぎず、ケース本体２の開放縁の内面に内接又は近接するように偏在しているため、ケース内部の容積が大幅に低下することはない。
【００４７】
図１８及び図１９に示すように、ケース本体が有底円筒状であり、蓋板１００３，１１０３がケース本体の開口部を塞ぐ、円形状の板材であるケースであっても本発明を適用することができる。この場合、図１８に示すように、突部１０３４がケース本体の内側全周に対向するように環状に蓋板１００３に設けられてもよいし、図１９に示すように、突部１１３４がケース本体の内側の一部に対向するように円弧状に蓋板１１０３に設けられていてもよい。蓋板１００３，１１０３は、ケース本体の開口部に対して位置決めすることができる。これらの形態においても、突部１０３４，１１３４は、ケース本体の開放縁の内面に内接又は近接するように偏在しているため、ケース内部の容積が大幅に低下することはない。また、蓋板１００３，１１０３とケース本体との間に隙間がある場合において、レーザ光がケースの内部に突き抜けることが防止されるという効果も有する。
【００４８】
また、上記実施形態において、突条３４（突部）が第一方向Ａ１と直交する少なくとも第二方向Ａ２（若しくは第三方向Ａ３）においてケース本体２の開口縁の内面に内接する例を示した。しかしながら、図２０に示すように、突条３４（突部）が第一方向Ａ１と直交する少なくとも第二方向Ａ２（若しくは第三方向Ａ３）においてケース本体２の開口縁の内面に近接していてもよい。この場合においても、内接する場合のように、蓋板３とケース本体２とを位置決めする効果があるだけでなく、蓋板３をケース本体２に挿入しやすくなる。
【００４９】
また、正極の集電体８及び正極の外部端子１２は、アルミニウム又はアルミニウム合金を用いて形成され、負極の集電体８及び負極の外部端子１２は、銅又は銅合金を用いて形成される例を示した。しかしながら、電池の種類に応じた導電性金属材料であれば、これらの材料は任意である。また、上記実施形態において、外部端子１２の材料についても例示した。しかしながら、強度や導電性等の特性が適合する導電性金属材料であれば、これらの材料も任意である。
【００５０】
また、電極体４は、上記実施形態の如く、長円筒形状の巻回型のものには限定されず、他の形状のものでもよく、例えば、複数の正極シートと複数の負極シートとがセパレータを介して交互に積層された積層型のものであってもよい。
【００５１】
また、上記実施形態において、ケース１がアルミニウム合金や鋼等を用いて形成される例を示した。しかしながら、ケース１（ケース本体２及び蓋板３）の材質は任意である。従って、金属以外のものが用いられてもよく、例えば絶縁性材質が用いられ得る。また、ケース１（ケース本体２及び蓋板３）の形状や構造も上記実施形態に限定されず、任意である。
【００５２】
また、上記実施形態において、ケース本体２と蓋板３とがレーザ溶接により接合される例を示した。しかしながら、ケース本体２と蓋板３との接合方法は任意である。例えば、抵抗溶接による接合方法や、接着剤を介しての接合方法を用いても構わない。
【００５３】
また、上記実施形態において、リチウムイオン二次電池について説明した。しかしながら、電池の種類や大きさ（容量）は任意である。
【００５４】
また、本発明は、リチウムイオン二次電池に限定されるものではない。本発明は、種々の二次電池、その他、一次電池や、電気二重層キャパシタ等のキャパシタにも適用可能である。
【符号の説明】
【００５５】
１…ケース、２…ケース本体、２ａ…底部、２ｂ…側板部、２ｃ…端板部、２ｄ…開口部、３…蓋板、３１…貫通孔、３２…ガス排出弁、３３…注液孔、３４…突条（突部）、３５…凹部、３６…ケース内側部、４…電極体、５…正極シート、６…負極シート、７…セパレータ、８…集電体、８ａ…接続部、９…端子構造、１０…樹脂プレート、１１…外部ガスケット、１２…外部端子、１２ａ…頭部、１２ｂ…軸部、１３…栓体、１０３…蓋板、１３４…突部、２０３…蓋板、２３４…突部、３０３…蓋板、３３４…突部、４０３…蓋板、４３４…突部、５０３…蓋板、５３４…突部、６０３…蓋板、６３４…突部、７０３…蓋板、７３４…突部、８０３…蓋板、８３４…突部、９０２…ケース本体、９０２ｂ…側板部、９０２ｃ…端板部、９０２ｄ…開口部、９０２ｅ…コーナー部、９０３…蓋板、９３４…突部、１００３…蓋板、１０３４…突部、１１０３…蓋板、１１３４…突部、Ａ１…第一方向、Ａ２…第二方向、Ａ３…第三方向、Ｐ１…第一辺、Ｐ２…第二辺、Ｐ３，Ｐ４…辺
【図１】
2014160618.tif 000003
【図２】
2014160618.tif 000004
【図３】
2014160618.tif 000005
【図４】
2014160618.tif 000006
【図５】
2014160618.tif 000007
【図６】
2014160618.tif 000008
【図７】
2014160618.tif 000009
【図８】
2014160618.tif 000010
【図９】
2014160618.tif 000011
【図１０】
2014160618.tif 000012
【図１１】
2014160618.tif 000013
【図１２】
2014160618.tif 000014
【図１３】
2014160618.tif 000015
【図１４】
2014160618.tif 000016
【図１５】
2014160618.tif 000017
【図１６】
2014160618.tif 000018
【図１７】
2014160618.tif 000019
【図１８】
2014160618.tif 000020
【図１９】
2014160618.tif 000021
【図２０】
2014160618.tif 000022